(57)【要約】【課題】軽量で断熱性に優れるとともに、苔の生育も良く施工性に優れた、苔緑化ユニットを提供すること。【解決手段】トレイと、前記トレイ内部に配置する保水基盤と、前記保水基盤上に配置する生育基盤と、前記生育基盤に育成する苔と、からなり、前記トレイ内部には十字状の仕切り板を設け、前記保水基盤はチップ状の部材を前記トレイ内部に配置して形成する、苔緑化ユニット。【選択図】図１
2014108056.tif 000002
【特許請求の範囲】
【請求項１】
トレイと、前記トレイ内部に配置する保水基盤と、前記保水基盤上に配置する生育基盤と、前記生育基盤に育成する苔と、からなり、
前記トレイ内部には十字状の仕切り板を設け、
前記保水基盤はチップ状の部材を前記トレイ内部に配置して形成する、
苔緑化ユニット。
【請求項２】
請求項１に記載の苔緑化ユニットにおいて、前記生育基盤は、シャモット、焼成珪藻土及びセラミックス（パーライト）のみまたはこれらを複数組み合わせたものにより構成することを特徴とする、苔緑化ユニット。
【発明の詳細な説明】
【技術分野】
【０００１】
本発明は、苔緑化ユニットに関するものである。
【背景技術】
【０００２】
近年、地球温暖化・ヒートアイランド化対策として、建物の屋上緑化が推進されている。
緑化用の植物としては、土壌が不要の為、軽量で潅水不要で管理が容易になる苔植物が好適である。
【発明の概要】
【発明が解決しようとする課題】
【０００３】
従来用いられる苔製品は薄層のシート状であった。このため、苔の生育を担保するための排水材等の副資材を施工現場で組み合わせる必要があったため、施工手間やコストが高くなるという問題があった。
また、従来の製品は出荷時にシートの大きさを定格寸法にカットする必要があった。
また、従来の製品はシート状であるため、一部が破損した場合に部分補修をすることができなかった。
【０００４】
本発明の目的は、軽量で断熱性に優れるとともに、苔の生育も良く施工性に優れた、苔緑化ユニットを提供する。
【課題を解決するための手段】
【０００５】
上記目的を達成するためになされた本願の第１発明は、トレイと、前記トレイ内部に配置する保水基盤と、前記保水基盤上に配置する生育基盤と、前記生育基盤に育成する苔と、からなり、前記トレイ内部には十字状の仕切り板を設け、前記保水基盤はチップ状の部材を前記トレイ内部に配置して形成する、苔緑化ユニットを提供する。
本願の第２発明は、第１発明の苔緑化ユニットにおいて、前記生育基盤は、シャモット、焼成珪藻土及びセラミックス（パーライト）のみまたはこれらを複数組み合わせたものにより構成することを特徴とする、苔緑化ユニットを提供する。
【発明の効果】
【０００６】
本発明は、上記した課題を解決するための手段により、次のような効果の少なくとも一つを得ることができる。
＜１＞トレイ内部に配置する保水基盤、生育基盤はそれぞれチップ状、粒状であるため、容易にトレイ内に配置することができる。
＜２＞保水基盤、生育基盤及び苔を配置したトレイを施工現場に搬入するため、搬入作業や設置作業が容易である。
＜３＞トレイ状のユニットを複数配置して屋上緑化を行うため、一部が破損した場合でも破損したユニットのみを交換することができる。
＜４＞保水基盤がチップ状であり、生育基盤が多孔質であるため、軽量であり、給排水バランスに優れ、断熱性能も高い。
【図面の簡単な説明】
【０００７】
【図１】苔緑化ユニットの説明図
【図２】トレイの説明図
【図３】苔緑化ユニットの断面図
【図４】トレイの一例の正面図
【図５】トレイの一例の背面図
【図６】トレイの一例の底面図
【発明を実施するための形態】
【０００８】
以下、図面を参照しながら本発明の実施の形態について説明する。
【実施例】
【０００９】
（１）苔緑化ユニットの概要
本発明の苔緑化ユニット１は、建物の屋上面に直接設置して緑化を行うものである。
苔緑化ユニット１は、トレイ２、トレイ２内に配置する保水基盤３、生育基盤４及び苔５からなる。（図１）
【００１０】
（２−１）トレイ
トレイ２は、平面視矩形状の容器である。（図２）
トレイ２は正方形であり、特に５００ｍｍ角が好適である。トレイ２を５００ｍｍ角の正方形とすることにより、一つの苔緑化ユニット１あたりの面積は０．２５ｍｍ2となり、緑化面積の計算が容易となる。
トレイ２の四隅は面取りを行う。トレイ２は屋上面に整列して使用するが、四隅を面取りすることにより、整列した際に隙間ができ、一つのアンカーボルトによって、４つのトレイ２の角を固定することができる。
【００１１】
（２−２）仕切り板、リブ
トレイ２の内部には十字状の仕切り板２１を設ける。仕切り板２１によってトレイ２の強度を上げるとともに、トレイ２内に配置する保水基盤３、生育基盤４の片寄りを防止することができる。
トレイ２の側壁内部及び仕切り板２１にはリブ２２を設けても良い。リブ２２によってトレイ２の強度を上げることができる。
また、仕切り板２１及びリブ２２の高さによって、トレイを上下に重ね合わせた際に内部空間を確保できる。
【００１２】
（２−３）排水孔
トレイ２の底面には排水孔２３を設ける。
排水孔２３は十字状の仕切り板２１によって形成される内部矩形の各辺に設ける。
苔緑化ユニット１を設置する屋上面には水勾配が設けられているが、内部矩形の各辺に排水孔２３を設けることにより、水勾配に合わせて排水孔２３の向きを検討する必要が無く、設置が容易となる。
【００１３】
（３）保水基盤
保水基盤３は、チップ状の部材である。（図３）
保水基盤３は、不織布（１０ｍｍ角）やヤシ殻（２０ｍｍ角）等の保水性を有し、表面には凹凸を有する部材からなる。
保水基盤３は、トレイ２内部の、仕切り板２１によって形成される各内部矩形内に均一に敷き広げる。
従来の基盤はシート状であったが、本発明の保水基盤３はチップ状であるため、成形やトレイ２内への配置が容易となる。また、チップ同士の間隙によりチップで保水できない水は排水されるため、豪雨時などに水が排水されずに苔が浸水してダメージを受けることを防止できる。
【００１４】
（４）生育基盤
生育基盤４は直径の５ｍｍ以下の粒状の部材である。
生育基盤４はシャモット、焼成珪藻土及びセラミックス（パーライト）単体またはこれらを複数組み合わせたものからなる。これらはいずれも多孔質であり、それぞれ粒度が異なる。
生育基盤４は、トレイ２内部に配置した保水基盤３上に均一に敷き広げる。
保水基盤３を形成するチップは凹凸があるため、生育基盤４が保水基盤３のチップの凹凸に絡みつき、一体となる。
生育基盤４は多孔質の材料により構成するため、断熱性を有する。よって、苔緑化ユニット１が断熱性を有することとなる。
また、生育基盤４を複数の材料を組み合わせて構成すると、異なる粒度のものを組み合わせる事となり、保水基盤３や苔５との一体化と給排水バランスの維持を達成できる。
【００１５】
（５）苔
本発明の苔緑化ユニット１においては、スナゴケを生育する。
このため、苔５はスナゴケ種苗を生育基盤４の上面に播種して育成する。
苔５に用いるスナゴケ種苗は、３〜４ｃｍが一般的な長さだが、この長さのまま播種すると苔種５同士が重なり合って発芽できない種苗の割合が多くなるため、１ｃｍ程度にカットして播種する。
【００１６】
（６）固化材
トレイ２内に配置した保水基盤３、生育基盤４及び苔５の種苗の飛散を防止するために、生育基盤４及び苔５の種苗の上面に固化材を散布して、保水基盤３，生育基盤４及び苔５の苔種を一体にする。
固化材は、従来用いられている合成樹脂エマルジョン固化材を希釈して用いる。
【００１７】
（７）発芽、生育
固化材によってトレイ２内で保水基盤３、生育基盤４及び苔５の苔種が一体となった苔緑化ユニット１を、圃場に移す。
そして、圃場において苔５の発芽及び生育を行う。
【００１８】
（８）現場への設置
苔緑化ユニット１は、圃場にて苔５を生育した後に、施工現場に搬入して設置する。施工現場には、苔緑化ユニット１単位で搬入する。
ユニット単位での搬入、設置作業であるため、容易に施工することができる。
上述したように優れた保水基盤３及び生育基盤４と一体となっているため苔５は生育が良い。
また、苔緑化ユニット１は複数配置して屋上緑化を行うため、一部の苔緑化ユニット１が破損した場合でも破損したユニットのみを交換することができる。
【符号の説明】
【００１９】
１        苔緑化ユニット
２        トレイ
２１      仕切り板
２２      リブ
２３      排水孔
３        保水基盤
４        生育基盤
５        苔
【図１】
2014108056.tif 000003
【図２】
2014108056.tif 000004
【図３】
2014108056.tif 000005
【図４】
2014108056.tif 000006
【図５】
2014108056.tif 000007
【図６】
2014108056.tif 000008